(57)【要約】【課題】長ズボンの裾部分が踵と履物の間に入り込むことが有効に回避でき、歩行時において長ズボンの美しい自然な動きをかもし出すことが可能な長ズボンの裾用保形具を提供する。  【解決手段】ズボンの折り目が形成されるライン又はその仮想ラインを基準として裾付近の内面側に取り付けられる長ズボンの裾用保形具において、前記ラインを挟んで左右にそれぞれが独立して配置される保形板と、前記保形板を裾付近の内面側に固定するための粘着材とから構成されている。【選択図】  図１
0003147344.tif 000002
【実用新案登録請求の範囲】
【請求項１】
ズボンの折り目が形成されるライン又はその仮想ラインを基準として裾付近の内面側に取り付けられる長ズボンの裾用保形具において、前記ラインを挟んで左右にそれぞれが独立して配置される保形板と、前記保形板を裾付近の内面側に固定するための粘着材とから構成されていることを特徴とする長ズボンの裾用保形具。
【請求項２】
保形板が、フラットな合成樹脂板又は発泡樹脂板を湾曲させるべく折り曲げるようにして裾付近に貼り付けるものであることを特徴とする請求項１記載のズボンの裾用保形具。
【請求項３】
保形板は、略三角形状であり、各角部はアール状となっていることを特徴とする請求項１又は２記載の長ズボンの裾用保形具。
【考案の詳細な説明】
【技術分野】
【０００１】
この考案は、長ズボンを着用して（踵より長いズボンを履く場合）サンダルやミュール等を履くような場合において、長ズボンの裾が踵とサンダル等との間に入り込むのを防止する長ズボンの裾用保形具に関するものである。
【背景技術】
【０００２】
従来の長ズボンの裾の部分は、ズボンそのものの生地であり、その形を失いやすいと共に折り曲がりやすくなっている。よって、サンダルやミュールなどを履いて歩く時、裾の部分が踵の下に入り込んでしまうことがよくあり、歩きにくいだけでなく、外観的にも見栄えが良くないという問題がある。また、室内においても長い裾が踏みつけられているので皺ができてしまっている。
【０００３】
上記問題を解決する手段としては、例えば、ズホンの全体の生地とは相違する別個の強化ガードを、後ろの裾の内側に取り付ける裾踏み止防用強化ガードとしてあるものがある。そして、前記強化ガードの素材として、少々固めの繊維、紙、又柔らかめの合成樹脂のように軽量なもので、裾の部分が外部からの物理的な力によって簡単に折り曲がらない特性を持ったものとしている（例えば、特許文献１）。
【０００４】
この構成によると、長ズボンの裾部分が踵と履物の間に入り込むことが有効に回避できることから、裾の状態を気にすることなく歩くことができる。
【０００５】
しかしながら、上記解決手段では、長ズボンの後側の裾及びその付近が裾踏み止防用強化ガードの形状に倣うことから、歩行時において長ズボンの美しい自然な動きをかもし出さないという問題が生じる。このような問題は、長ズボンに折り目を形成している場合においては特に顕著である。
【特許文献１】特開２００６−２１４０６９号公報
【考案の開示】
【考案が解決しようとする課題】
【０００６】
そこで、この考案は、長ズボンの裾部分が踵と履物の間に入り込むことが有効に回避でき、歩行時において長ズボンの美しい自然な動きをかもし出すことが可能な長ズボンの裾用保形具を提供することを課題とする。
【課題を解決するための手段】
【０００７】
（請求項１記載の考案）
この考案は、ズボンの折り目が形成されるライン又はその仮想ラインを基準として裾付近の内面側に取り付けられる長ズボンの裾用保形具において、前記ラインを挟んで左右にそれぞれが独立して配置される保形板と、前記保形板を裾付近の内面側に固定するための粘着材とから構成されている。
（請求項２記載の考案）
この考案は、上記請求項１記載の考案に関し、保形板が、フラットな合成樹脂板又は発泡樹脂板を湾曲させるべく折り曲げるようにして裾付近に貼り付けるものである。
（請求項３記載の考案）
この考案は、上記請求項１又は２記載の考案に関し、保形板は、略三角形状であり、各角部はアール状となっている。
【考案の効果】
【０００８】
この長ズボンの裾用保形具によると、長ズボンの裾部分が踵と履物の間に入り込むことが有効に回避でき、歩行時において長ズボンの美しい自然な動きをかもし出すことが可能である。
【０００９】
なお、長ズボンに折り目を形成している場合においては特に顕著である。
【考案を実施するための最良の形態】
【００１０】
以下、この考案の実施の形態を、図面を参照して説明する。
【実施例１】
【００１１】
図１は実施例１の長ズボンの裾用保形具（保形板と剥離紙）を使用した場合の斜め後ろから見た長ズホンと裾用保形具の状態を示す図、図２は前記長ズボンの裾用保形具を使用した場合の真後ろから見た長ズホンと裾用保形具の状態を示す図、図３は前記長ズボンの裾用保形具及び剥離紙を重ねた状態の上面図、図４は前記長ズボンの裾用保形具及び剥離紙が重なった状態を横から見た状態の図を示している。
【００１２】
（この実施例の長ズボンの裾用保形具１について）
この長ズボンの裾用保形具１は、図１や図２に示すように、ズボン８の折り目が形成されるライン又はその仮想ラインＬを基準として裾８０付近の内面側に取り付けられる長ズボンの裾用保形具において、前記ラインＬを挟んで左右にそれぞれが独立して配置される保形板２、２と、前記保形板２、２を裾付近の内面側に固定するための粘着材３、３とから構成されている。
【００１３】
ここで、裾用保形具１は使用前においては、図３や図４に示すように、剥離紙４上に、粘着材３を具えた合成樹脂製の保形板２を二個設ける構成をとっている。使用時においては、剥離紙４から粘着材３を具えた保形板２を捲り取り、ラインＬを基準として左右に裾８０付近の内面側に貼り付ける（図１参照）。
【００１４】
上記粘着材３を具えた合成樹脂製の保形板２は、図３や図４に示すＬ１は６０ｍｍ±１０ｍｍ程度、Ｌ２は７５ｍｍ±１０ｍｍ程度、Ｒ１及びＲ２は１０ｍｍ程度、Ｒ３（半径）は４００±１００ｍｍ、ｔは０．１ｍｍから０．５ｍｍ程度である。なお、前記寸法は長ズボン８の着用者の背丈の相違や好みの相違によっては多少変化させてもよい。剥離紙４については、図３に示すように、二枚の保形板２が入る大きさであればよい。
【００１５】
（この実施例の長ズボンの裾用保形具１の具体的な使用の方法）
まず、長ズボン８の裾の後ろ側のラインＬ（折り目、仮想されたラインを含む）部分を捲り上げ、保形板２の貼り付ける位置を確保する（図１、図２参照）。
【００１６】
次に、剥離紙４から保形板２、２を捲り取り、仮想されたラインＬ等を基準にして左右に粘着材３を介して保形板２、２を裾付近に貼り付ける。
【００１７】
続いて、長ズボン８の裾を元の状態に戻し、普通通りに、長ズボン８を身につけると、図１や図２に示す裾部分に保形板２、２が位置することになる。
【００１８】
この長ズボンの裾用保形具１を使用した場合、保形板２の位置ズレが多少あったとしても、仮想ラインを越えない限りは大きな問題とはならない。何故ならば、外部から見た形状は全く変化しないからである。
【００１９】
（この実施例の長ズボンの裾用保形具１の優れた効果について）
（１）長ズボン８の裾部分が踵と履物の間に入り込むことが有効に回避できることについて
図１や図２に示すように、長ズボン８の裾部後方の最下部から少し上付近まで、保形板２、２が存在しており、前記保形板２、２は折れ曲がりにくいので、踵とミュール９等の間に長ズボン８の裾が入り込む余地が非常に少なくなる。
【００２０】
したがって、この実施例の長ズボンの裾用保形具１を使用した場合、長ズボン８の裾部分が踵と履物の間に入り込むことが有効に回避できる。
（２）歩行時において長ズボンの美しい自然な動きをかもし出すことが可能である。
【００２１】
図１や図２に示すように、保形板２、２は、長ズボン８の後側の折り目又は当該折り目が形成されるべきラインＬを基準として左右にそれぞれ独立して裾８０付近の内面側に取り付けられている。
【００２２】
したがって、背景技術の欄に記載した例の如き、長ズボンの後側の裾及びその付近が裾踏み止防用強化ガードの形状の如き形状にならず、裾付近において自然な長ズボンの形状が確保できる。
【００２３】
よって、歩行時において長ズボンの美しい自然な動きをかもし出すことが可能である。
（３）貼り付け位置がある程度ラフであってもよいことについて
上記した（この実施例の長ズボンの裾用保形具１の具体的な使用の方法）に記載した内容から、貼り付け位置がある程度ラフであってもよいこと明らかである。
（４）保形板２、２の存在により、室内においても長い裾が踏みつけられにくく、裾付近にしわが出来にくいことについて
保形板２、２を付けないで室内で歩いているときには、図５に示すように、裾の最下部を踏みつけることになるのに対して、保形板２、２を付けた場合には図６に示すように、裾の最下部付近は当該保形板２、２により直立状態が維持（保形板２上部で緩やかな凹凸になる程度）されるので裾部の最下部を踏みつける可能性は低い。よって、外に出てミュールをはいたときには、裾付近に皺がほとんど出来ない。
（５）その他、不使用時においては、保形板２、２はラインＬを基準として左右にそれぞれ独立しているので、保形板２、２が着いていても、畳んで箪笥にしまったり、ズボンハンガーで逆さ吊りにすることができる。
（その他の実施形態）
上記実施例では、保形板２が合成樹脂板により形成されているが、これに限定されることなく、発泡樹脂板で構成されているものでもよい。
【００２４】
また、上記左右の保形板２、２相互が軟質材により接続されているか、又は左右の保形板２、２相互が薄手の部材で接続されているものとしてもよい。
【００２５】
そして、図７に示す如き、厚い布地Ｋの下端部分を内側に折り返した状態のズボンに対応させて保形板２等の断面形状を段付きにすることができる。
【００２６】
更に、保形板２が、図８に示すように、フラットな合成樹脂板又は発泡樹脂板を湾曲させるべく折り曲げるようにして、裾付近に貼り付けるものとしてもよい。
【図面の簡単な説明】
【００２７】
【図１】実施例１の長ズボンの裾用保形具（保形板と剥離紙）を使用した場合を斜め後ろから見た長ズホンと裾用保形具の状態を示す図。
【図２】前記長ズボンの裾用保形具を使用した場合の真後ろから見た長ズホンと裾用保形具の状態を示す図。
【図３】前記長ズボンの裾用保形具及び剥離紙を重ねた状態の平面図。
【図４】前記長ズボンの裾用保形具及び剥離紙が重なった状態を横から見た状態の正面図。
【図５】保形板を付けないで室内で歩いているときに、裾の最下部を踏みつけている状態を示す図。
【図６】保形板を付けた場合には、裾の最下部付近は当該保形板により直立状態が維持（保形板上部で緩やかな凹凸になる程度）された状態を示す図。
【図７】分厚い生地の下端部分を折り返した場合に使用される保形板の断面図。
【図８】保形板が、フラットな合成樹脂板又は発泡樹脂板を湾曲させるべく折り曲げるようにした状態の斜視図。
【符号の説明】
【００２８】
１    長ズボンの裾用保形具
２    保形板
３    粘着材
４    剥離紙
８    長ズボン
９    ミュール
８０  裾  
【図１】
0003147344.tif 000003
【図２】
0003147344.tif 000004
【図３】
0003147344.tif 000005
【図４】
0003147344.tif 000006
【図５】
0003147344.tif 000007
【図６】
0003147344.tif 000008
【図７】
0003147344.tif 000009
【図８】
0003147344.tif 000010